(57)【特許請求の範囲】
【請求項１】
２つの異なるサブスクリプションを介して通信することが可能なユーザ機器において動作可能なワイヤレス通信の方法であって、
第１のサブスクリプションを利用する発呼メッセージを送信することと、ここで、前記発呼メッセージは、第２のサブスクリプションを介して前記ユーザ機器に発呼するように構成される、
前記第２のサブスクリプションを介して、前記発呼メッセージに対応する少なくとも１つのページングメッセージを受信することと、
前記少なくとも１つのページングメッセージに関連する情報を記憶することと、
前記少なくとも１つのページングメッセージの繰り返しに対応する統計値を判断することと
を備える、方法。
【請求項２】
前記判断された統計値に従ってすべてのページングサイクルよりも少数のページングサイクルを利用するページングチャネルをモニタすることをさらに備える、
請求項１に記載の方法。
【請求項３】
前記少なくとも１つのページングメッセージの前記受信は、間欠受信（ＤＲＸ）サイクルに従ってページングチャネルをモニタすることを備える、
請求項１に記載の方法。
【請求項４】
前記少なくとも１つのページングメッセージに関連する前記情報を前記記憶することは、ページメッセージ識別子と、前記少なくとも１つのページングメッセージを受信した時間に対応するタイムスタンプとを記憶することを備える、
請求項１に記載の方法。
【請求項５】
前記少なくとも１つのページングメッセージの前記繰り返しに対応する前記統計値は、前記少なくとも１つのページングメッセージが繰り返された最小回数と、前記少なくとも１つのページングメッセージの繰り返し間の１または複数の時間とを備える、
請求項１に記載の方法。
【請求項６】
前記ユーザ機器は、着信ページングメッセージを受信するが、それらに応答しないように構成されたブランキングウィンドウを開始することをさらに備え、
前記第２サブスクリプションを介した前記少なくとも１つのページングメッセージの前記受信は、前記ブランキングウィンドウ中に行われる、
請求項１に記載の方法。
【請求項７】
ワイヤレス通信のために構成された通信インターフェースと、
前記通信インターフェースに動作可能に結合され、２つの異なるサブスクリプションを介した通信を管理するように構成されたプロセッサモジュールと
を備え、前記プロセッサは、
第１のサブスクリプションを利用する発呼メッセージを送信することと、ここで、前記発呼メッセージは、第２のサブスクリプションを介してユーザ機器に発呼するように構成される、
前記第２のサブスクリプションを介して、前記発呼メッセージに対応する少なくとも１つのページングメッセージを受信することと、
前記少なくとも１つのページングメッセージに関連する情報を記憶することと、
前記少なくとも１つのページングメッセージの繰り返しに対応する統計値を判断することと
を行うようにさらに構成される、ワイヤレス通信デバイス。
【請求項８】
前記プロセッサは、前記判断された統計値に従ってすべてのページングサイクルよりも少数のページングサイクルを利用するページングチャネルをモニタするようにさらに構成される、
請求項７に記載のデバイス。
【請求項９】
前記少なくとも１つのページングメッセージの前記受信は、間欠受信（ＤＲＸ）サイクルに従ってページングチャネルをモニタすることを備える、
請求項７に記載のデバイス。
【請求項１０】
前記少なくとも１つのページングメッセージに関連する前記情報を前記記憶することは、ページメッセージ識別子と、前記少なくとも１つのページングメッセージを受信した時間に対応するタイムスタンプとを記憶することを備える、
請求項７に記載のデバイス。
【請求項１１】
前記少なくとも１つのページングメッセージの前記繰り返しに対応する前記統計値は、前記少なくとも１つのページングメッセージが繰り返された最小回数と、前記少なくとも１つのページングメッセージの繰り返し間の１または複数の時間とを備える、
請求項７に記載のデバイス。
【請求項１２】
前記プロセッサは、
前記ユーザ機器が着信ページングメッセージを受信するが、それらに応答しないように構成されたブランキングウィンドウを開始することと、
前記ブランキングウィンドウ中に前記第２サブスクリプションを介して前記少なくとも１つのページングメッセージを受信することと
を行うようにさらに構成される、請求項７に記載のデバイス。
【請求項１３】
２つの異なるサブスクリプションを介して通信することが可能なユーザ機器と一緒に使用するように構成される、コンピュータプログラムであって、
プロセッサに、
第１のサブスクリプションを利用する発呼メッセージを送信することと、ここで、前記発呼メッセージは、第２のサブスクリプションを介して前記ユーザ機器に発呼するように構成される、
前記第２のサブスクリプションを介して、前記発呼メッセージに対応する少なくとも１つのページングメッセージを受信することと、
前記少なくとも１つのページングメッセージに関連する情報を記憶することと、
前記少なくとも１つのページングメッセージの繰り返しに対応する統計値を判断することと
を行わせるコードを備える、コンピュータプログラム。
【請求項１４】
前記プロセッサに、前記判断された統計値に従ってすべてのページングサイクルよりも少数のページングサイクルを利用するページングチャネルをモニタすることを行わせるコードをさらに備える、
請求項１３に記載のコンピュータプログラム。
【請求項１５】
前記プロセッサに、間欠受信（ＤＲＸ）サイクルに従ってページングチャネルをモニタする形で、前記少なくとも１つのページングメッセージを受信することを行わせるコードをさらに備える、
請求項１３に記載のコンピュータプログラム。
【請求項１６】
前記プロセッサに、ページメッセージ識別子と、前記少なくとも１つのページングメッセージを受信した時間に対応するタイムスタンプとを記憶する形で、前記少なくとも１つのページングメッセージに関連する前記情報を記憶することを行わせるコードをさらに備える、
請求項１３に記載のコンピュータプログラム。
【請求項１７】
前記少なくとも１つのページングメッセージの前記繰り返しに対応する前記統計値が、前記少なくとも１つのページングメッセージが繰り返された最小回数と、前記少なくとも１つのページングメッセージの繰り返し間の１または複数の時間とを備える、
請求項１３に記載のコンピュータプログラム。
【請求項１８】
前記プロセッサに、
前記ユーザ機器が着信ページングメッセージを受信するが、それらに応答しないように構成されたブランキングウィンドウを開始することと、
前記ブランキングウィンドウ中に前記第２サブスクリプションを介して前記少なくとも１つのページングメッセージを受信することと
を行わせるコードをさらに備える、請求項１３に記載のコンピュータプログラム。
【発明の詳細な説明】
【関連出願】
【０００１】
関連出願の相互参照および優先権の主張
本出願は、以下に完全に記載されるかのように、およびすべての適用可能な目的のためにその内容全体が参照により本明細書に組み込まれる、２０１２年３月８日に米国特許商標局に出願された米国仮特許出願第６１／６０８，５３２号の優先権および利益を主張する。
【技術分野】
【０００２】
本開示の態様は、一般にワイヤレス通信システムに関し、より詳細には、ワイヤレス通信システムにおけるブロードキャストメッセージの間欠受信に関する。
【背景技術】
【０００３】
ワイヤレス通信ネットワークは、電話、ビデオ、データ、メッセージング、ブロードキャストなどの様々な通信サービスを提供するために広く展開されている。そのようなネットワークは、通常、多元接続ネットワークであり、利用可能なネットワークリソースを共有することによって複数のユーザのための通信をサポートする。そのようなネットワークの一例は、ＵＭＴＳ  Ｔｅｒｒｅｓｔｒｉａｌ  Ｒａｄｉｏ  Ａｃｃｅｓｓ  Ｎｅｔｗｏｒｋ（ＵＴＲＡＮ）である。ＵＴＲＡＮは、３ｒｄ  Ｇｅｎｅｒａｔｉｏｎ  Ｐａｒｔｎｅｒｓｈｉｐ  Ｐｒｏｊｅｃｔ（３ＧＰＰ）によってサポートされる第３世代（３Ｇ）モバイルフォン技術である、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）の一部として定義された無線アクセスネットワーク（ＲＡＮ）である。ＵＭＴＳは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）（登録商標）技術の後継であり、現在、広帯域符号分割多元接続（Ｗ−ＣＤＭＡ（登録商標）：Wideband-Code Division Multiple Access）、時分割符号分割多元接続（ＴＤ−ＣＤＭＡ：Time Division−Code Division Multiple Access）、および、時分割同期符号分割多元接続（ＴＤ−ＳＣＤＭＡ：Time Division−Synchronous Code Division Multiple Access）など、様々なエアインターフェース規格をサポートする。ＵＭＴＳはまた、高速パケットアクセス（ＨＳＰＡ：High Speed Packet Access）など、拡張型３Ｇデータ通信プロトコルをもサポートし、このプロトコルは、より高いデータ転送速度および容量を、関連するＵＭＴＳネットワークに提供する。
【０００４】
いかなるワイヤレス通信技術においても、モバイルワイヤレスデバイスにおける電力消費量は、多大の労力が投入され続ける重要な問題である。多くの従来のワイヤレス通信技術は、電力を節約するために、代替的にスロットモードと呼ばれることがある間欠受信（ＤＲＸ：discontinuous reception）を利用する。
【０００５】
ＤＲＸモードでは、デバイスは電力使用量を変化させる。たとえば、デバイスの受信機は、概して、電力を節約するためにオフにされ、デバイスを対象とするメッセージが受信され得ることが知られている所定の時間期間中にオンにされる。いくつかの例では、受信機のオンおよびオフ（ＤＲＸサイクル）は周期的であり得るが、他の例は、オンタイム間に他の非周期的タイミングを利用し得る。ページングチャネルなどのいくつかのワイヤレスチャネル上で、ネットワークは、受信デバイスが、何らかの情報を受信し、それに相応して作用することができる確率を最大化するために、いくつかのＤＲＸサイクルにわたってその情報を繰り返し得る。
【０００６】
モバイルブロードバンドアクセスに対する需要が増大し続けるにつれて、モバイルブロードバンドアクセスに対する増大する需要を満たすためだけでなく、モバイル通信のユーザエクスペリエンスを進化および向上させるためにもＵＭＴＳ技術を進化させる研究および開発が続けられている。
【発明の概要】
【０００７】
以下で、本開示の１つまたは複数の態様の基本的理解を与えるために、そのような態様の簡略化された概要を提示する。この概要は、本開示のすべての企図された特徴の包括的な概観ではなく、本開示のすべての態様の主要または重要な要素を識別するものでも、本開示のいずれかまたはすべての態様の範囲を定めるものでもない。その唯一の目的は、後で提示するより詳細な説明の導入として、本開示の１つまたは複数の態様のいくつかの概念を簡略化された形で提示することである。
【０００８】
いくつかの実施形態によれば、本発明は、２つの異なるサブスクリプションを介して通信することが可能なユーザ機器において動作可能なワイヤレス通信の方法を提供する。そのような方法は、第１のサブスクリプションを利用する発呼メッセージを送信することであって、発呼メッセージが、第２のサブスクリプションを介してユーザ機器に発呼するように構成された、送信することと、第２のサブスクリプションを介して、発呼メッセージに対応する少なくとも１つのページングメッセージを受信することと、少なくとも１つのページングメッセージに関連する情報を記憶することと、少なくとも１つのページングメッセージの繰り返しに対応する統計値を判断することとを含む、様々な特徴を含むことができる。
【０００９】
他の実施形態は、複数のサブスクリプションを用いて複数のワイヤレスネットワーク上で通信することが可能なワイヤレス通信デバイスを含むことができる。たとえば、ワイヤレス通信デバイスは、ワイヤレス通信のために構成された通信インターフェースと、通信インターフェースに動作可能に結合され、２つの異なるサブスクリプションを介した通信を管理するように構成されたプロセッサモジュールとを備えることができる。プロセッサは、第１のサブスクリプションを利用する発呼メッセージを送信することであって、発呼メッセージが、第２のサブスクリプションを介してユーザ機器に発呼するように構成された、送信することと、第２のサブスクリプションを介して、発呼メッセージに対応する少なくとも１つのページングメッセージを受信することと、少なくとも１つのページングメッセージに関連する情報を記憶することと、少なくとも１つのページングメッセージの繰り返しに対応する統計値を判断することとを行うように構成され得る。
【００１０】
本発明の他の実施形態は、コードを含んでいるメモリまたは他の媒体を含むことができる。たとえば、一実施形態は、ストレージデバイスに記憶された命令のセットを備える、２つの異なるサブスクリプションを介して通信することが可能なユーザ機器と一緒に使用するように構成されたマニュファクチュアの物品を含むことができる。プロセッサは、コードを実行すると、第１のサブスクリプションを利用する発呼メッセージを送信することであって、発呼メッセージが、第２のサブスクリプションを介してユーザ機器に発呼するように構成された、送信することと、第２のサブスクリプションを介して、発呼メッセージに対応する少なくとも１つのページングメッセージを受信することと、少なくとも１つのページングメッセージに関連する情報を記憶することと、少なくとも１つのページングメッセージの繰り返しに対応する統計値を判断することとが行われ得る。
【００１１】
本発明の特定の例示的な実施形態の以下の説明を添付の図と併せて検討すれば、当業者には、本発明の他の態様、特徴、および実施形態が明らかになろう。本発明の特徴が、以下のいくつかの実施形態および図に関連して説明され得るが、本発明のすべての実施形態は、本明細書で説明する有利な特徴のうちの１つまたは複数を含むことができる。言い換えれば、１つまたは複数の実施形態が、いくつかの有利な特徴を有するものとして説明され得るが、そのような特徴のうちの１つまたは複数は、本明細書で説明する本発明の様々な実施形態に従っても使用され得る。同様に、例示的な実施形態が、以下ではデバイス、システム、または方法の実施形態として説明され得るが、そのような例示的な実施形態は、様々なデバイス、システム、および方法で実装され得ることを理解されたい。
【図面の簡単な説明】
【００１２】
【図１】本発明のいくつかの実施形態による、処理システムを用いる装置のためのハードウェア実装形態の一例を示すブロック図。
【図２】本発明のいくつかの実施形態による、電気通信システムの一例を概念的に示すブロック図。
【図３】本発明のいくつかの実施形態による、アクセスネットワークの一例を示す概念図。
【図４】本発明のいくつかの態様による、ユーザプレーンおよび制御プレーンのための無線プロトコルアーキテクチャの一例を示す概念図。
【図５】いくつかの例による、電気通信システムにおいてＵＥと通信しているノードＢの一例を概念的に示すブロック図。
【図６】一例による、ＤＲＸ特徴を概念的に示すタイミング図。
【図７】一例による、複数のＤＲＸサイクルにわたって繰り返されているページメッセージを概念的に示すタイミング図。
【図８】いくつかの例による、パッシブスキャンモードにあるＵＥのための例示的なプロセスを示すフローチャート。
【図９】いくつかの例による、アクティブスキャンモードにあるＵＥのための例示的なプロセスを示すフローチャート。
【図１０】いくつかの例による、すべてのＤＲＸサイクルよりも少数のＤＲＸサイクル中にページング／ブロードキャストチャネルのモニタを可能にするために、アクティブまたはパッシブスキャンモードで記憶されたデータを利用するための例示的なプロセスを示すフローチャート。
【発明を実施するための形態】
【００１３】
添付の図面に関して以下に示す発明を実施するための形態は、様々な構成を説明するものであり、本明細書で説明する概念が実施され得る唯一の構成を表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。
【００１４】
本開示の１つまたは複数の態様は、異なる無線アクセス技術（ＲＡＴ：radio access technology）であり得る、２つ以上のサブスクリプションを利用する間欠受信（ＤＲＸ）のために構成されたマルチＳＩＭワイヤレスユーザ機器（ＵＥ：user equipment）を提供する。パッシブスキャンモードおよびアクティブスキャンモードが開示される。アクティブスキャンモードでは、ＵＥは、１つのサブスクリプションを利用する呼を、別のサブスクリプションを介して同じＵＥに発信するように構成される。ブランキングウィンドウの持続時間中に、着信ページメッセージの繰り返しに対応する統計値が、記録され、ページメッセージのネットワークによる繰り返し挙動を判断するために分析される。このようにして、ページングチャネルのモニタがすべてのＤＲＸサイクルよりも少数のＤＲＸサイクル中に行われ得、異なる無線アクセス技術上でのＤＲＸサイクル間に起こり得る衝突をなくし、電力消費の低減を可能にする。
【００１５】
図１は、処理システム１１４を用いる装置１００のためのハードウェア実装形態の一例を示すブロック図である。本開示の様々な態様によれば、要素、または要素の任意の部分、または要素の任意の組合せは、１つまたは複数のプロセッサ１０４を含む処理システム１１４を用いて実装され得る。プロセッサ１０４の例には、マイクロプロセッサ、マイクロコントローラ、デジタル信号プロセッサ（ＤＳＰ：digital signal processor）、フィールドプログラマブルゲートアレイ（ＦＰＧＡ：field programmable gate array）、プログラマブル論理デバイス（ＰＬＤ：programmable logic device）、状態機械、ゲート論理、個別ハードウェア回路、および本開示全体にわたって説明する様々な機能を実行するように構成された他の好適なハードウェアがある。
【００１６】
この例では、処理システム１１４は、バス１０２によって概略的に表されるバスアーキテクチャを用いて実装され得る。バス１０２は、処理システム１１４の特定の適用例および全体的な設計制約に応じて、任意の数の相互接続バスおよびブリッジを含み得る。バス１０２は、（プロセッサ１０４によって概略的に表される）１つまたは複数のプロセッサと、メモリ１０５と、（コンピュータ可読媒体１０６によって概略的に表される）コンピュータ可読媒体とを含む様々な回路を互いにリンクする。バス１０２はまた、タイミングソース、周辺機器、電圧調整器、および電力管理回路など、様々な他の回路をリンクし得るが、これらの回路は当技術分野においてよく知られており、したがって、これ以上説明しない。バスインターフェース１０８は、バス１０２とトランシーバ１１０との間のインターフェースを与える。トランシーバ１１０は、伝送媒体上で様々な他の装置と通信するための手段を与える。装置の性質に応じて、ユーザインターフェース１１２（たとえば、キーパッド、ディスプレイ、スピーカ、マイクロフォン、ジョイスティック）も与えられ得る。
【００１７】
プロセッサ１０４は、バス１０２を管理することと、コンピュータ可読媒体１０６に記憶されたソフトウェアの実行を含む一般的な処理とを担当する。ソフトウェアは、プロセッサ１０４によって実行されたとき、処理システム１１４に、特定の装置のための以下で説明する様々な機能を実行させる。コンピュータ可読媒体１０６はまた、ソフトウェアを実行するときにプロセッサ１０４によって操作されるデータを記憶するために使用され得る。
【００１８】
処理システム中の１つまたは複数のプロセッサ１０４はソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。ソフトウェアはコンピュータ可読媒体１０６上に常駐し得る。コンピュータ可読媒体１０６は非一時的コンピュータ可読媒体であり得る。非一時的コンピュータ可読媒体は、例として、磁気ストレージデバイス（たとえば、ハードディスク、フロッピー（登録商標）ディスク、磁気ストリップ）、光ディスク（たとえば、コンパクトディスク（ＣＤ）またはデジタル多用途ディスク（ＤＶＤ））、スマートカード、フラッシュメモリデバイス（たとえば、カード、スティック、またはキードライブ）、ランダムアクセスメモリ（ＲＡＭ）、読取り専用メモリ（ＲＯＭ）、プログラマブルＲＯＭ（ＰＲＯＭ）、消去可能ＰＲＯＭ（ＥＰＲＯＭ）、電気的消去可能ＰＲＯＭ（ＥＥＰＲＯＭ）、レジスタ、リムーバブルディスク、ならびにコンピュータによってアクセスされ、読み取られ得るソフトウェアおよび／または命令を記憶するための任意の他の好適な媒体を含む。コンピュータ可読媒体はまた、例として、搬送波、伝送線路、ならびにコンピュータによってアクセスされ、読み取られ得るソフトウェアおよび／または命令を送信するための任意の他の好適な媒体を含み得る。コンピュータ可読媒体１０６は、処理システム１１４中に常駐するか、処理システム１１４の外部にあるか、または処理システム１１４を含む複数のエンティティにわたって分散され得る。コンピュータ可読媒体１０６はコンピュータプログラム製品において実施され得る。例として、コンピュータプログラム製品はパッケージング材料中にコンピュータ可読媒体を含み得る。当業者なら、特定の適用例および全体的なシステムに課せられた全体的な設計制約に応じて、本開示全体にわたって提示される記載の機能をどのようにしたら最も良く実装することができるかを認識されよう。
【００１９】
本開示全体にわたって提示する様々な概念は、幅広い様々な電気通信システム、ネットワークアーキテクチャ、および通信規格にわたって実施され得る。次に図２を参照すると、限定はしないが例示的な例として、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）システム２００に関して本開示の様々な態様が示されている。ＵＭＴＳネットワークは、コアネットワーク２０４、無線アクセスネットワーク（ＲＡＮ）（たとえば、ＵＭＴＳ  Ｔｅｒｒｅｓｔｒｉａｌ  Ｒａｄｉｏ  Ａｃｃｅｓｓ  Ｎｅｔｗｏｒｋ（ＵＴＲＡＮ）２０２）、およびユーザ機器（ＵＥ）２１０という３つの対話ドメインを含む。ＵＴＲＡＮ２０２のために利用可能ないくつかのオプションの中で、この例では、図示されたＵＴＲＡＮ２０２は、電話、ビデオ、データ、メッセージング、ブロードキャストを含む様々なワイヤレスサービス、および／または他のサービスを可能にするためのＷ−ＣＤＭＡエアインターフェースを用い得る。ＵＴＲＡＮ２０２は、無線ネットワークコントローラ（ＲＮＣ：Radio Network Controller）２０６などのそれぞれのＲＮＣによって各々が制御される、無線ネットワークサブシステム（ＲＮＳ：Radio Network Subsystem）２０７などの複数のＲＮＳを含み得る。ここで、ＵＴＲＡＮ２０２は、図示されたＲＮＣ２０６およびＲＮＳ２０７に加えて、任意の数のＲＮＣ２０６およびＲＮＳ２０７を含み得る。ＲＮＣ２０６は、特に、ＲＮＳ２０７内で無線リソースを割り当て、再構成し、解放することを担当する装置である。ＲＮＣ２０６は、任意の好適なトランスポートネットワークを使用して、直接物理接続、仮想ネットワークなど、様々なタイプのインターフェースを通してＵＴＲＡＮ２０２中の他のＲＮＣ（図示せず）と相互接続され得る。
【００２０】
ＲＮＳ２０７によってカバーされる地理的領域は、いくつかのセルに分割され得、無線トランシーバ装置が各セルをサービスし得る。無線トランシーバ装置は、ＵＭＴＳ適用例では一般にノードＢと呼ばれるが、当業者によって、基地局（ＢＳ：base station）、送受信基地局（ＢＴＳ：base transceiver station）、無線基地局、無線トランシーバ、トランシーバ機能、基本サービスセット（ＢＳＳ：basic service set）、拡張サービスセット（ＥＳＳ：extended service set）、アクセスポイント（ＡＰ：access point）、または何らかの他の好適な用語でも呼ばれることがある。明快のために、各ＲＮＳ２０７中に３つのノードＢ２０８が示されているが、ＲＮＳ２０７は任意の数のワイヤレスノードＢを含み得る。ノードＢ２０８は、任意の数のモバイル装置にコアネットワーク２０４へのワイヤレスアクセスポイントを与える。モバイル装置の例には、セルラーフォン、スマートフォン、セッション開始プロトコル（ＳＩＰ）フォン、ラップトップ、ノートブック、ネットブック、スマートブック、携帯情報端末（ＰＤＡ）、衛星無線、全地球測位システム（ＧＰＳ）デバイス、マルチメディアデバイス、ビデオデバイス、デジタルオーディオプレーヤ（たとえば、ＭＰ３プレーヤ）、カメラ、ゲーム機、または任意の他の同様の機能デバイスがある。モバイル装置は、ＵＭＴＳ適用例では一般にユーザ機器（ＵＥ）と呼ばれるが、当業者によって、移動局（ＭＳ）、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末（ＡＴ）、モバイル端末、ワイヤレス端末、リモート端末、ハンドセット、端末、ユーザエージェント、モバイルクライアント、クライアント、または何らかの他の好適な用語でも呼ばれることがある。
【００２１】
ＵＴＲＡＮエアインターフェースは、Ｗ−ＣＤＭＡ規格を利用するものなど、スペクトラム拡散直接シーケンス符号分割多元接続（ＤＳ−ＣＤＭＡ：Direct-Sequence Code Division Multiple Access）システムであり得る。スペクトラム拡散ＤＳ−ＣＤＭＡは、チップと呼ばれる擬似ランダムビットのシーケンスによる乗算によって、ユーザデータを拡散する。ＵＴＲＡＮ２０２のためのＷ−ＣＤＭＡエアインターフェースは、そのようなＤＳ−ＣＤＭＡ技術に基づいており、さらに周波数分割複信（ＦＤＤ：frequency division duplexing）を必要とする。ＦＤＤは、ノードＢ２０８とＵＥ２１０との間のアップリンク（ＵＬ）およびダウンリンク（ＤＬ）に対して異なるキャリア周波数を使用する。ＤＳ−ＣＤＭＡを利用し、時分割複信（ＴＤＤ：time division duplexing）を使用する、ＵＭＴＳのための別のエアインターフェースは、ＴＤ−ＳＣＤＭＡエアインターフェースである。本明細書で説明する様々な例は、Ｗ−ＣＤＭＡエアインターフェースに言及することがあるが、基礎をなす原理は、ＴＤ−ＳＣＤＭＡエアインターフェースまたは任意の他の好適なエアインターフェースに等しく適用可能であることを、当業者は認識されよう。
【００２２】
ＵＭＴＳシステムでは、ＵＥ２１０は、１つまたは複数のユニバーサル集積回路カード（ＵＩＣＣ：universal integrated circuit card）を含み得る。ＵＩＣＣカードはそれぞれ、１つまたは複数のユニバーサル加入者識別モジュール（ＵＳＩＭ：universal subscriber identity module）アプリケーション２１１を実行し得る。ＵＳＩＭは、ネットワークにユーザのサブスクリプション情報を与える。図示されたＵＥ２１０は、２つのＵＳＩＭ２１１Ａおよび２１１Ｂを含むが、これは本質的に例示にすぎず、ＵＥは任意の好適な数のＵＳＩＭを含み得ることを当業者ならば理解されよう。複数のＵＳＩＭを有するＵＥ２１０などのＵＥは、マルチＳＩＭ／多重スタンバイデバイスと呼ばれることがあり、２つのＵＳＩＭをもつ１つの特定の例は、デュアルＳＩＭデュアルスタンバイ（ＤＳＤＳ：dual SIM dual standby）と呼ばれる。ＤＳＤＳデバイスは、概して、同時に２つのネットワーク上でスタンバイモードでアクティブになることが可能であり、ＵＥ２１０における単一のトランシーバは、それぞれのネットワーク上で２つのサブスクリプションによって共有される。
【００２３】
説明のために、いくつかのノードＢ２０８と通信している１つのＵＥ２１０が示されている。順方向リンクとも呼ばれるダウンリンク（ＤＬ）はノードＢ２０８からＵＥ２１０への通信リンクを指し、逆方向リンクとも呼ばれるアップリンク（ＵＬ）はＵＥ２１０からノードＢ２０８への通信リンクを指す。
【００２４】
コアネットワーク２０４は、ＵＴＲＡＮ２０２などの１つまたは複数のアクセスネットワークとインターフェースすることができる。図示のように、コアネットワーク２０４はＵＭＴＳコアネットワークである。ただし、当業者なら認識するように、本開示全体にわたって提示する様々な概念は、ＵＭＴＳネットワーク以外のタイプのコアネットワークへのアクセスをＵＥに与えるために、ＲＡＮ、または他の好適なアクセスネットワークにおいて実装され得る。
【００２５】
図示されたＵＭＴＳコアネットワーク２０４は回線交換（ＣＳ：circuit-switched）ドメインとパケット交換（ＰＳ：packet-switched）ドメインとを含む。回線交換要素のいくつかは、モバイルサービス交換センター（ＭＳＣ：Mobile services Switching Centre）、ビジターロケーションレジスタ（ＶＬＲ：Visitor Location Register）、およびゲートウェイＭＳＣ（ＧＭＳＣ：Gateway MSC）である。パケット交換要素は、サービングＧＰＲＳサポートノード（ＳＧＳＮ：Serving GPRS Support Node）と、ゲートウェイＧＰＲＳサポートノード（ＧＧＳＮ：Gateway GPRS Support Node）とを含む。ＥＩＲ、ＨＬＲ、ＶＬＲおよびＡｕＣのような、いくつかのネットワーク要素は、回線交換ドメインとパケット交換ドメインの両方によって共有され得る。
【００２６】
図示の例では、コアネットワーク２０４は、ＭＳＣ２１２およびＧＭＳＣ２１４とともに回線交換サービスをサポートする。いくつかの適用例では、ＧＭＳＣ２１４はメディアゲートウェイ（ＭＧＷ）と呼ばれることがある。ＲＮＣ２０６などの１つまたは複数のＲＮＣはＭＳＣ２１２に接続され得る。ＭＳＣ２１２は、呼設定、呼ルーティング、およびＵＥモビリティ機能を制御する装置である。ＭＳＣ２１２はまた、ＵＥがＭＳＣ２１２のカバレージエリア中にある持続時間の間の加入者関係情報を含んでいるビジターロケーションレジスタ（ＶＬＲ）を含む。ＧＭＳＣ２１４は、ＵＥが回線交換ネットワーク２１６にアクセスするために、ＭＳＣ２１２を介したゲートウェイを与える。ＧＭＳＣ２１４は、特定のユーザが加入したサービスの詳細を反映するデータなどの加入者データを含んでいるホームロケーションレジスタ（ＨＬＲ：home location register）２１５を含む。また、ＨＬＲは、加入者固有の認証データを含んでいる認証センター（ＡｕＣ：authentication center）に関連付けられる。特定のＵＥのための呼が受信されると、ＧＭＳＣ２１４は、ＨＬＲ２１５に問い合わせてＵＥのロケーションを判断し、そのロケーションをサービスする特定のＭＳＣに呼をフォワーディングする。
【００２７】
図示されたコアネットワーク２０４は、サービングＧＰＲＳサポートノード（ＳＧＳＮ：serving GPRS support node）２１８およびゲートウェイＧＰＲＳサポートノード（ＧＧＳＮ：gateway GPRS support node）２２０とともにパケット交換データサービスをもサポートする。Ｇｅｎｅｒａｌ  Ｐａｃｋｅｔ  Ｒａｄｉｏ  Ｓｅｒｖｉｃｅ（ＧＰＲＳ）は、標準の回線交換データサービスで利用可能な速度よりも高い速度でパケットデータサービスを提供するように設計されている。ＧＧＳＮ２２０は、パケットベースネットワーク２２２へのＵＴＲＡＮ２０２のための接続を与える。パケットベースネットワーク２２２は、インターネット、プライベートデータネットワーク、または何らかの他の好適なパケットベースネットワークであり得る。ＧＧＳＮ２２０の主要機能は、ＵＥ２１０にパケットベースネットワーク接続性を与えることである。データパケットは、ＳＧＳＮ２１８を通してＧＧＳＮ２２０とＵＥ２１０との間で転送され得、ＳＧＳＮ２１８は、主に、ＭＳＣ２１２が回線交換ドメインで実行するのと同じ機能をパケットベースドメインで実行する。
【００２８】
上記で説明したように、図示されたＵＥ２１０は、ＵＭＴＳネットワーク２００上で２つのサブスクリプションを維持することが可能なＤＳＤＳデバイスを示す。本開示の範囲内で、２つ以上の無線アクセス技術（ＲＡＴ）を利用する同様の機能が達成され得、ＵＥは、２つ以上の異なるＲＡＴ上で２つ以上のサブスクリプションを同時に維持する。ここで、そのようなＵＥは、ＵＭＴＳネットワーク、ＧＳＭネットワーク、ＬＴＥネットワーク、ｃｄｍａ２０００ネットワーク、Ｗｉ−ＭＡＸネットワーク、または任意の他の好適なＲＡＴのうちの１つまたは複数上で１つまたは複数のサブスクリプションを維持し得る。本開示内で、ＤＳＤＳデバイス、マルチＳＩＭ／多重スタンバイデバイス、あるいは任意の１つのまたは任意の複数のＲＡＴ上で２つ以上のサブスクリプション上のチャネルをモニタすることが可能な任意のデバイスは、一般に、多重スタンバイデバイスと呼ばれる。
【００２９】
多重スタンバイＵＥ２１０上では、２つ以上の別個のユーザサブスクリプション間で無線トランシーバを共有することを可能にする妥協が典型的である。すなわち、ＵＥ２１０は、概して、各サブスクリプションのための必要な無線チャネルのすべてを同時にリッスンしていることが保証されないことがあり、したがって、一方のサブスクリプションをリッスンするとき他方のサブスクリプション上のページングメッセージを逃し得る。たいていのセルラーネットワーク実装形態は、複数のサイクルにわたって（ページングなどの）ブロードキャスト情報が有限回数繰り返されることを許すが、加入者デバイスがこの繰り返しパターンがどのようなものであるかを知るための機構を与えない。したがって、以下でさらに詳細に説明するように、本開示のいくつかの態様は、ＵＥ２１０などのＵＥに、ブロードキャスト情報の繰り返しパターンを学習するための機構を与え、各サブスクリプション上のすべてのページングメッセージを受信する可能性を高めることができるアルゴリズムを可能にする。
【００３０】
ＵＴＲＡＮ２０２は、本開示に従って利用され得るＲＡＮの一例である。図３を参照すると、限定はしないが、例として、ＵＴＲＡＮアーキテクチャ中のＲＡＮ３００の簡略図が示されている。システムは、その各々が１つまたは複数のセクタを含み得る、セル３０２、３０４、および３０６を含む、複数のセルラー領域（セル）を含む。セルは、（たとえば、カバレージエリアによって）地理的に定義され得、および／または周波数、スクランブリングコードなどに従って定義され得る。すなわち、図示された地理的に定義されたセル３０２、３０４、および３０６は各々、たとえば、異なるスクランブリングコードを利用することによって、複数のセルにさらに分割され得る。たとえば、セル３０４ａは第１のスクランブリングコードを利用し得、セル３０４ｂは、同じ地理的領域にあり、同じノードＢ３４４によってサービスされる間、第２のスクランブリングコードを利用することによって区別され得る。
【００３１】
セクタに分割されたセルにおいて、セル内の複数のセクタはアンテナのグループによって形成され得、各アンテナは、セルの一部分におけるＵＥとの通信を担当する。たとえば、セル３０２において、アンテナグループ３１２、３１４、および３１６は各々異なるセクタに対応し得る。セル３０４において、アンテナグループ３１８、３２０、および３２２は各々異なるセクタに対応し得る。セル３０６において、アンテナグループ３２４、３２６、および３２８は各々異なるセクタに対応し得る。
【００３２】
セル３０２、３０４、および３０６は、各セル３０２、３０４、または３０６の１つまたは複数のセクタと通信し得るいくつかのＵＥを含み得る。たとえば、ＵＥ３３０および３３２はノードＢ３４２と通信し得、ＵＥ３３４および３３６はノードＢ３４４と通信し得、ＵＥ３３８および３４０はノードＢ３４６と通信し得る。ここで、各ノードＢ３４２、３４４、および３４６は、それぞれのセル３０２、３０４、および３０６内のすべてのＵＥ３３０、３３２、３３４、３３６、３３８、および３４０にコアネットワーク２０４（図２参照）へのアクセスポイントを与えるように構成され得る。
【００３３】
ソースセルとの通話中に、または、任意の他の時間に、ＵＥ３３６は、ソースセルの様々なパラメータ、ならびに近隣セルの様々なパラメータをモニタし得る。さらに、これらのパラメータの品質に応じて、ＵＥ３３６は、近隣セルのうちの１つまたは複数との通信を維持し得る。この時間中に、ＵＥ３３６は、アクティブセット、すなわち、ＵＥ３３６が同時に接続されるセルのリストを維持し得る（すなわち、現在ＵＥ３３６にダウンリンク専用物理チャネル（ＤＰＣＨ：downlink dedicated physical channel）またはフラクショナルダウンリンク専用物理チャネル（Ｆ−ＤＰＣＨ：fractional downlink dedicated physical channel）を割り当てているＵＴＲＡＮセルはアクティブセットを構成し得る）。
【００３４】
ワイヤレス電気通信システムでは、通信プロトコルアーキテクチャは、特定の適用例に応じて様々な形態をとり得る。たとえば、３ＧＰＰ  ＵＭＴＳシステムでは、シグナリングプロトコルスタックは、非アクセス層（ＮＡＳ：Non-Access Stratum）とアクセス層（ＡＳ：Access Stratum）とに分割される。ＮＡＳは、ＵＥ２１０とコアネットワーク２０４との間のシグナリング（図２参照）のために上位レイヤを与え、回線交換プロトコルとパケット交換プロトコルとを含み得る。ＡＳは、ＵＴＲＡＮ２０２とＵＥ２１０との間のシグナリングのために下位レイヤを与え、ユーザプレーンと制御プレーンとを含み得る。ここで、ユーザプレーンまたはデータプレーンはユーザトラフィックを搬送し、一方、制御プレーンは制御情報（すなわち、シグナリング）を搬送する。
【００３５】
図４を参照すると、ＡＳは、レイヤ１と、レイヤ２と、レイヤ３との３つのレイヤとともに示されている。レイヤ１は最下位レイヤであり、様々な物理レイヤ信号処理機能を実装する。レイヤ１を本明細書では物理レイヤ４０６と呼ぶ。レイヤ２と呼ばれるデータリンクレイヤ４０８は、物理レイヤ４０６の上にあり、物理レイヤ４０６を介したＵＥ２１０とノードＢ２０８との間のリンクを担当する。
【００３６】
レイヤ３において、ＲＲＣレイヤ４１６は、ＵＥ２１０とノードＢ２０８との間の制御プレーンシグナリングを処理する。ＲＲＣレイヤ４１６は、上位レイヤメッセージをルーティングすること、ブロードキャスト機能およびページング機能を処理すること、無線ベアラを確立し、構成することなどのためのいくつかの機能エンティティを含む。
【００３７】
図示されたエアインターフェースでは、Ｌ２レイヤ４０８はサブレイヤに分割される。制御プレーンにおいて、Ｌ２レイヤ４０８は、媒体アクセス制御（ＭＡＣ：medium access control）サブレイヤ４１０と無線リンク制御（ＲＬＣ：radio link control）サブレイヤ４１２との２つのサブレイヤを含む。ユーザプレーンでは、Ｌ２レイヤ４０８は、パケットデータコンバージェンスプロトコル（ＰＤＣＰ：packet data convergence protocol）サブレイヤ４１４をさらに含む。図示されていないが、ＵＥは、ネットワーク側のＰＤＮゲートウェイにおいて終端されるネットワークレイヤ（たとえば、ＩＰレイヤ）と、接続の他端（たとえば、ファーエンドＵＥ、サーバなど）において終端されるアプリケーションレイヤとを含むＬ２レイヤ４０８の上にいくつかの上位レイヤを有し得る。
【００３８】
ＰＤＣＰサブレイヤ４１４は、異なる無線ベアラと論理チャネルとの間で多重化を行う。ＰＤＣＰサブレイヤ４１４はまた、無線送信オーバーヘッドを低減するために上位レイヤデータパケットのヘッダ圧縮と、データパケットを暗号化することによるセキュリティと、ＵＥに対するノードＢ間のハンドオーバサポートとを与える。
【００３９】
ＲＬＣサブレイヤ４１２は、概して、データ転送のために、（誤り訂正のために確認応答および再送信処理が使用され得る）確認応答モード（ＡＭ：acknowledged mode）と、非確認応答モード（ＵＭ：unacknowledged mode）と、透過モードとをサポートし、ＭＡＣレイヤにおけるハイブリッド自動再送要求（ＨＡＲＱ：hybrid automatic repeat request）によって順が狂った受信を補正するために上位レイヤデータパケットのセグメンテーションおよび再統合とデータパケットの並べ替えとを行う。確認応答モードでは、ＲＮＣおよびＵＥなどのＲＬＣピアエンティティは、特に、ＲＬＣデータプロトコルデータユニット（ＰＤＵ：protocol data unit）と、ＲＬＣステータスＰＤＵと、ＲＬＣリセットＰＤＵとを含む様々なＲＬＣ  ＰＤＵを交換し得る。本開示では、「パケット」という用語は、ＲＬＣピアエンティティ間で交換される任意のＲＬＣ  ＰＤＵを指すことがある。
【００４０】
ＭＡＣサブレイヤ４１０は、論理チャネルとトランスポートチャネルとの間の多重化を行う。ＭＡＣサブレイヤ４１０はまた、ＵＥの間で１つのセル内の様々な無線リソース（たとえば、リソースブロック）を割り振ることを担当する。ＭＡＣサブレイヤ４１０はまたＨＡＲＱ動作を担当する。
【００４１】
図５は、例示的なＵＥ５５０と通信している例示的なノードＢ５１０のブロック図であり、ノードＢ５１０は図４のノードＢ４０８であり得、ＵＥ５５０は図４のＵＥ４１０であり得る。ダウンリンク通信では、送信プロセッサ５２０は、データソース５１２からデータを受信し、コントローラ／プロセッサ５４０から制御信号を受信し得る。送信プロセッサ５２０は、データおよび制御信号、ならびに基準信号（たとえば、パイロット信号）のための様々な信号処理機能を提供する。たとえば、送信プロセッサ５２０は、誤り検出のための巡回冗長検査（ＣＲＣ：cyclic redundancy check）コードと、前方誤り訂正（ＦＥＣ：forward error correction）を可能にするための符号化およびインターリービングと、様々な変調方式（たとえば、２位相偏移変調（ＢＰＳＫ：binary phase-shift keying）、４位相偏移変調（ＱＰＳＫ：quadrature phase-shift keying）、Ｍ位相偏移変調（Ｍ−ＰＳＫ：M-phase-shift keying）、Ｍ値直交振幅変調（Ｍ−ＱＡＭ：M-quadrature amplitude modulation）など）に基づく信号コンスタレーションへのマッピングと、直交可変拡散率（ＯＶＳＦ：orthogonal variable spreading factor）による拡散と、一連のシンボルを生成するためのスクランブリングコードによる乗算とを提供し得る。チャネルプロセッサ５４４からのチャネル推定値は、送信プロセッサ５２０のための符号化、変調、拡散、および／またはスクランブリング方式を判断するために、コントローラ／プロセッサ５４０によって使用され得る。これらのチャネル推定値は、ＵＥ５５０によって送信された基準信号から導出されるか、またはＵＥ５５０からのフィードバックから導出され得る。送信プロセッサ５２０によって生成されたシンボルは、フレーム構造を作成するために、送信フレームプロセッサ５３０に与えられる。送信フレームプロセッサ５３０は、それらのシンボルをコントローラ／プロセッサ５４０からの情報と多重化することによってこのフレーム構造を作成し、一連のフレームを生じる。それらのフレームは、次いで、送信機５３２に与えられ、送信機５３２は、アンテナ５
３４を通したワイヤレス媒体を介したダウンリンク送信のために、フレームを増幅し、フィルタリングし、キャリア上に変調することを含む、様々な信号調整機能を提供する。アンテナ５３４は、たとえば、ビームステアリング双方向アダプティブアンテナアレイ、または、他の同様のビーム技術を含む、１つまたは複数のアンテナを含み得る。
【００４２】
ＵＥ５５０において、受信機５５４は、アンテナ５５２を通してダウンリンク送信を受信し、その送信を処理して、キャリア上に変調された情報を復元する。受信機５５４によって復元された情報は、受信フレームプロセッサ５６０に与えられ、受信フレームプロセッサ５６０は、各フレームを解析し、フレームからの情報をチャネルプロセッサ５９４に与え、データと、制御および基準信号とを受信プロセッサ５７０に与える。受信プロセッサ５７０は、次いで、ノードＢ５１０において送信プロセッサ５２０によって実行される処理の逆を実行する。より具体的には、受信プロセッサ５７０は、シンボルをデスクランブルおよび逆拡散し、次いで、変調方式に基づいて、ノードＢ５１０によって送信された、可能性が最も高い信号コンスタレーションポイントを判断する。これらの軟判定は、チャネルプロセッサ５９４によって計算されるチャネル推定値に基づき得る。軟判定は、次いで、データと、制御および基準信号とを復元するために、復号およびデインターリーブされる。次いで、フレームの復号に成功したかどうかを判断するためにＣＲＣコードがチェックされる。復号に成功したフレームによって搬送されたデータは、次いで、データシンク５７２に与えられることになり、データシンク５７２は、ＵＥ５５０内中で動作するアプリケーション、および／または様々なユーザインターフェース（ディスプレイ）を表す。復号に成功したフレームによって搬送された制御信号は、コントローラ／プロセッサ５９０に与えられることになる。受信プロセッサ５７０がフレームの復号に失敗すると、コントローラ／プロセッサ５９０はまた、それらのフレームについての再送信要求をサポートするために、肯定応答（ＡＣＫ）および／または否定応答（ＮＡＣＫ）プロトコルを使用し得る。
【００４３】
アップリンクでは、データソース５７８からのデータと、コントローラ／プロセッサ５９０からの制御信号とが、送信プロセッサ５８０に与えられる。データソース５７８は、ＵＥ５５０中で動作するアプリケーション、および様々なユーザインターフェース（たとえば、キーボード）を表し得る。ノードＢ５１０によるダウンリンク送信に関して説明した機能と同様に、送信プロセッサ５８０は、ＣＲＣコードと、ＦＥＣを可能にするための符号化およびインターリービングと、信号コンスタレーションへのマッピングと、ＯＶＳＦを用いた拡散と、一連のシンボルを生成するためのスクランブリングとを含む、様々な信号処理機能を提供する。チャネルプロセッサ５９４によって、ノードＢ５１０によって送信された基準信号から、またはノードＢ５１０によって送信されたミッドアンブル中に含まれているフィードバックから導出されたチャネル推定値は、適切な符号化、変調、拡散および／またはスクランブリング方式を選択するために使用され得る。送信プロセッサ５８０によって生成されたシンボルは、フレーム構造を作成するために、送信フレームプロセッサ５８２に与えられることになる。送信フレームプロセッサ５８２は、それらのシンボルをコントローラ／プロセッサ５９０からの情報と多重化することによってこのフレーム構造を作成し、一連のフレームを生じる。それらのフレームは、次いで、送信機５５６に与えられ、送信機５５６は、アンテナ５５２を通したワイヤレス媒体を介したアップリンク送信のために、増幅と、フィルタリングと、キャリア上へのフレームの変調とを含む、様々な信号調整機能を提供する。
【００４４】
アップリンク送信は、ＵＥ５５０における受信機機能に関して説明した方法と同様の方法で、ノードＢ５１０において処理される。受信機５３５は、アンテナ５３４を通してアップリンク送信を受信し、この送信を処理して、キャリア上に変調された情報を復元する。受信機５３５によって復元された情報は、受信フレームプロセッサ５３６に与えられ、受信フレームプロセッサ５３６は、各フレームを解析し、フレームからの情報をチャネルプロセッサ５４４に与え、データと、制御および基準信号とを受信プロセッサ５３８に与える。受信プロセッサ５３８は、ＵＥ５５０において送信プロセッサ５８０によって実行される処理の逆を実行する。復号に成功したフレームによって搬送されたデータおよび制御信号は、次いで、それぞれデータシンク５３９およびコントローラ／プロセッサに与えられ得る。受信プロセッサがフレームの一部の復号に失敗した場合、コントローラ／プロセッサ５４０はまた、それらのフレームについての再送信要求をサポートするために、肯定応答（ＡＣＫ）および／または否定応答（ＮＡＣＫ）プロトコルを使用し得る。
【００４５】
コントローラ／プロセッサ５４０および５９０は、それぞれノードＢ５１０における動作およびＵＥ５５０における動作を指示するために使用され得る。たとえば、コントローラ／プロセッサ５４０および５９０は、タイミング、周辺インターフェース、電圧調整、電力管理、および他の制御機能を含む様々な機能を提供し得る。メモリ５４２および５９２のコンピュータ可読媒体は、それぞれノードＢ５１０およびＵＥ５５０のためのデータとソフトウェアとを記憶し得る。ノードＢ５１０におけるスケジューラ／プロセッサ５４６は、リソースをＵＥに割り振るために、ならびにＵＥのためのダウンリンクおよび／またはアップリンク送信をスケジュールするために使用され得る。
【００４６】
多くのワイヤレス技術については、（スロットモードと呼ばれることもある）「間欠受信」（ＤＲＸ）の概念が存在する。ＤＲＸモードでは、ＵＥ５５０などのＵＥは低電力状態に入ることができ、ＵＥは、通常は、電力を節約するためにそれの受信機５５４をオフにし、いくつかのダウンリンクメッセージについてページング／ブロードキャストチャネルをモニタするために一定の間隔で起動することができる。図６は、従来のＵＭＴＳシステムにおいて実装され得るＤＲＸ特徴を概念的に示すタイミング図である。図６では、ＵＥ５５０は接続モード６０２にあり得、それの受信機５５４は、１つまたは複数のダウンリンクチャネル上での連続送信であり得るものをモニタするために連続的にオンとなる。もちろん、ＵＥ５５０が接続モードから低電力状態（たとえば、ＣＥＬＬ＿ＰＣＨモード）に遷移するとき、受信機５５４を連続的にオンにすることが必要でないことがあり、したがって、ＵＥ５５０は、必要とされないときは受信機５５４をオフにし、それがそのＵＥ５５０を対象とするページメッセージをモニタするスキャンウィンドウ６０４に対応する期間６０４の間に受信機５５４を起動するために、ＤＲＸ特徴を利用し得る。ページメッセージが受信された場合、ＵＥ５５０は、ネットワークとの呼をセットアップすることによって、またはページメッセージに応答することによって、または他の好適な手順を実行することによって反応し得る。一方、ＵＥ５５０のためのページメッセージが受信されなかった場合、受信機５５４は、次の起動期間までオフに戻り得る。
【００４７】
図において、スキャンウィンドウ６０４はそれぞれ、等しい持続期間を有し、ΔＴの期間をもつ周期である。もちろん、スキャンウィンドウ６０４の持続期間およびそれらのスキャンウィンドウ６０４の期間は任意の好適な値であり得、様々な例では、それぞれ固定であり得るか、または時間とともに変動し得る。
【００４８】
ＤＲＸは、非ＤＲＸシステムと比較して電力消費を実質的に低減することができるが、もちろん電力消費をさらに低減したいという要望は常にある。各ＤＲＸサイクル中に関係するチャネルをモニタすることはある電力量を利用し、この量を低減することが求められる。
【００４９】
さらに、ＵＥ５５０が上記で説明した多重スタンバイデバイスであるとき、ＵＥ５５０がサブスクライブされる各ＲＡＴがＤＲＸをサポートする場合、ＲＡＴのうちの１つを使用してＤＲＸ受信ウィンドウ中にモバイルデバイスに送信されるページングまたはブロードキャストメッセージは、ＵＥ５５０が現在他のＲＡＴを利用しているときに逃されてしまう可能性がある。
【００５０】
ページングのために使用されるチャネル、および／またはブロードキャストシステム情報のために使用されるチャネルなど、いくつかのワイヤレスチャネル上で、情報を送信するネットワークは、ＵＥ５５０がその情報を受信した確率を最大化するために、いくつかのＤＲＸサイクルにわたってその情報の一部または全部を繰り返すように構成され得る。単純な例として、ＵＥ５５０を対象とするページメッセージは、４つの連続するＤＲＸサイクルにわたって繰り返され得る。しかしながら、ＵＥ５５０がそれに作用するために、一般に、情報の１つのインスタンスしか必要とされない。すなわち、ＵＥ５５０は、４つの繰り返しのうちの１つ中でページメッセージを受信する限り、必ずしも、ページメッセージの他の繰り返しを受信する必要なしに、適切に応答することができる。
【００５１】
したがって、本開示の一態様によれば、ＵＥ５５０は、繰り返し情報を含んでいるすべてのＤＲＸサイクルよりも少数のＤＲＸサイクル中にそのようなメッセージをより確信をもってリッスンし得るように、ＵＥ５５０は、それぞれのネットワークによって使用される繰り返しパターンを学習するように構成され得る。たとえば、ＵＥ５５０が、第２のサブスクリプションをリッスンしていたために、第１のサブスクリプション上で１つまたは２つのＤＲＸサイクルを逃してしまったとしても、ＵＥ５５０は、第１のサブスクリプション上のメッセージが３つの連続するＤＲＸサイクルにわたって繰り返されることを知っている場合、そのようなブロードキャストを逃していないという確信がより強まり得る。
【００５２】
多重スタンバイＵＥ５５０は、必ずしも、複数のＤＲＸサイクル中に送信されるメッセージを逃すことなしに、ちょうど何個のＤＲＸサイクルを逃すことができるのかに関する情報を有することになるので、このパラダイムは、そのようなＵＥ５５０の信頼性を改善することができる。したがって、そのようなＵＥ５５０は、ページング性能に十分に高いユーザエクスペリエンスを与えることになる高レベルの確信を維持しながら、複数のサブスクリプション間でそれのアクティビティを優先させることが可能であり得る。
【００５３】
ＵＥが、繰り返しパターンの判断から利益を得るために、必ずしも、マルチＳＩＭ／多重スタンバイ動作をサポートしなければならないとは限らないことを、当業者ならば本開示を検討すれば理解するであろう。すなわち、複数のＤＲＸサイクルにわたって送信されたメッセージの繰り返しパターンを判断することが可能なＵＥは、メッセージが送信されることになるＤＲＸサイクルのうちの少なくとも１つの間にリッスンすることによって依然としてすべての送信されたメッセージを受信し得るという確信を増加するほどのパターンを利用して、ＤＲＸサイクルのすべてよりも少ないＤＲＸサイクル中にのみそれの受信ユニットをオンにし得る。
【００５４】
以下でさらに詳細に説明する本開示いくつかの態様によれば、「パッシブスキャンモード」は、ワイヤレスチャネルを介して送信された情報を受動的にモニタし、複数のＤＲＸサイクルにわたって繰り返されるメッセージの繰り返しパターンを判断するために利用され得る。以下でさらに詳細に説明する本開示の追加の態様によれば、「アクティブスキャンモード」は、別のサブスクリプションを対象とする呼に対応するページメッセージなどの着信情報が複数のＤＲＸサイクルにわたってモニタされ得るように、その呼を開始するために１つのサブスクリプションを利用し、そのようなメッセージの繰り返しパターンを判断するために多重スタンバイデバイスによって利用され得る。特定の実装形態では、本開示に従って構成されたＵＥ５５０は、これらのモードのいずれかまたは両方を実装し得る。
【００５５】
上記で説明したように、本開示のいくつかの態様は、ページング通知メッセージに関する。ＵＭＴＳネットワークを利用する１つの例示的な例では、ページングチャネル（ＰＣＨ：paging channel）は、これらのページング通知メッセージを搬送するために利用され、ページングインジケータチャネル（ＰＩＣＨ：paging indicator channel）は、ＵＥが、それに関連するページングオケージョン中にＰＣＨを読み取る必要があるかどうかを判断することを迅速に行うことができるようにするためにＰＣＨに関連して利用される。
【００５６】
ここで、ＵＥは、ネットワークに登録すると、ページンググループに割り振られる。ＰＩＣＨは、各ページンググループに対応するページングインジケータを搬送し、したがって、ページンググループ内のＵＥのいずれかのためのページメッセージがあるとき、対応するページングインジケータがＰＩＣＨ上で送信される。ＵＥは、それのページングインジケータを検出すると、対応するページメッセージがそのＵＥを対象としているかどうかを判断するためにＰＣＨを復号する。
【００５７】
ＧＳＭネットワークを利用する別の例示的な例では、ＵＥは、ページンググループおよびＵＥが属する制御チャネルセットに対応するいくつかのページングブロックにおいてページングチャネルＰＣＨをモニタする。
【００５８】
もちろん、ＵＭＴＳおよびＧＳＭの例は、ＵＥまたは他のモバイルデバイスにページングメッセージを送信する多くの可能なネットワークのうちの２つにすぎない。概して、上記で説明したＵＭＴＳおよびＧＳＭの例を含めて、ＵＥ５５０は、それ自体に宛てられたページングメッセージと、それのページンググループ内の他のデバイスに宛てられたページングメッセージとを区別することが可能である。すなわち、ＰＣＨ内には、特定のページングメッセージがそのＵＥ５５０を対象としたものであるのか、またはページンググループ内の別のＵＥを対象としたものであるのかをＵＥ５５０が判断するのに十分な情報がある。
【００５９】
したがって、本開示の様々な態様により、ＵＥ５５０は、複数のＤＲＸサイクルにわたる送信された情報の繰り返しに関するパターンの存在などのいくつかの統計値を判断するために、同じＵＥ５５０を対象とするか、または他のＵＥを対象とするＰＣＨに関するブロードキャストされた情報をスキャンすることが可能になる。
【００６０】
本開示のいくつかの態様では、以下でさらに詳細に説明する、パッシブスキャンモードまたはアクティブスキャンモードのいずれでも、ＵＥ５５０は、ページング情報の繰り返しに対応するいくつかの統計値を判断し得る。たとえば、ＵＥ５５０は、以下に対応する値を判断し得る。
【００６１】
ネットワークが単一のページング試みを繰り返すことになる最小回数であるＮr、および
これらの繰り返しの各々の間の時間のセットである｛Ｔ1，．．．ＴNr-1｝。
【００６２】
ここで、セット｛Ｔ1，．．．ＴNr-1｝中の各Ｔiは、あるページ送信と同じページ送信の次の繰り返しとの間の時間を表す。
【００６３】
図７は、４つの連続するＤＲＸサイクル７０２にわたって繰り返されているページメッセージを示すタイミング図である。すなわち、この例では、Ｎr＝４である。さらに、この例では、ＤＲＸサイクルは一定であり、各サイクルは時間ΔＴだけ分離されている。したがって、Ｔ1＝Ｔ2＝Ｔ3＝ΔTである。
【００６４】
もちろん、これは一例にすぎず、繰り返しパターンは本開示の範囲内で他の例では変動し得る。すなわち、同じページ送信の繰り返し間の時間Ｔiが変動し得る可能性がある。
【００６５】
さらに、ページングメッセージが繰り返される回数Ｎr、および各繰り返し間の時間Ｔiは、特定の基地局における実装形態に依存するだけでなく、その基地局においてローディングされるページングチャネルなどの他のファクタにも依存することができる。たとえば、基地局は、オフピーク期間中にはページングメッセージを繰り返すが、ピーク期間中にはページングメッセージを繰り返さない場合があり得る。そのような例では、ＵＥ５５０は、その日にわたってページングチャネルモニタアルゴリズムを適合するように構成され得る。たとえば、以下で説明するパッシブまたはアクティブスキャンモードは、１日にわたって複数回実装され、１日にわたるネットワークの繰り返し統計値の変化に適応する必要に応じてＮrおよびＴiのそれぞれの値を変更し得る。
【００６６】
ＵＥ５５０がパッシブスキャンモードを利用する本開示の一態様によれば、ＵＥ５５０は学習モードに入り得、学習モードでは、ＵＥ５５０は、それのページングチャネルを受動的にモニタし、そのページングチャネルに現れ得るＵＥを対象とするページメッセージに関する情報を記憶し得る。このようにして、時間がたつにつれて、そのような情報がＵＥ５５０によって収集されるので、ＵＥ５５０は、上記で説明したＮrおよびＴiの値を判断するために利用され得る好適な統計値を生成し得る。
【００６７】
図８は、本開示いくつかの態様による、パッシブスキャンモードに対応する例示的なプロセスを示すフローチャートである。図示されたプロセス８００では、ステップ８０２において、ＵＥ５５０は、起動し、ＤＲＸタイミングを利用するページメッセージあるいは他の好適なブロードキャストまたはダウンリンクメッセージがセルを介して情報を送信することが予想され得る時間期間に対応するスキャンウィンドウを開始する。スキャンウィンドウは、ＵＥ５５０が以下で説明する所望のデータを収集することを可能にするのに十分であるように適合された任意の好適な数のＤＲＸサイクルを含み得る。
【００６８】
本開示のいくつかの態様では、たとえば、ＵＥ５５０が通常の方法でページングメッセージに応答する必要がある場合、パッシブスキャンモードは、スキャンウィンドウの終了の前にアボートされ得る。
【００６９】
ステップ８０４において、スキャンウィンドウの期間中に、ＵＥ５５０は、ＤＲＸサイクル中に１つまたは複数のＵＥを対象とするページメッセージまたは他の情報をモニタする。すなわち、本開示の一態様によれば、ページングチャネル上で送信される情報に関するより良い統計値を収集するために、ＵＥ５５０は、そのＵＥ５５０を対象とするメッセージを探すだけでなく、追加または代替として、他のＵＥを対象とするメッセージも探すように構成され得る。このようにして、ＵＥ５５０は、比較的少ないＤＲＸサイクルにわたってページメッセージの繰り返し統計値を判断することが可能であり得る。
【００７０】
ステップ８０６において、ＵＥ５５０は、ページメッセージが受信されたかどうかを判断し（または、いくつかの例では、任意の他の好適なメッセージがＤＲＸサイクル内でシークされ得る）、受信されなかった場合、プロセスはステップ８０４に戻り、したがって、ＵＥ５５０はページメッセージをモニタし続ける。ここで、ＵＥ５５０は、従来のネットワーク中にあるはずであるので、それ自体だけでなく、任意のデバイスに送られたページングメッセージについてページングチャネルをモニタするように構成される。
【００７１】
一方、ステップ８０６においてページメッセージが受信された場合、プロセスはステップ８０８に進み、ＵＥ５５０は、関連するタイムスタンプとともに、受信したページメッセージに対応する情報を（たとえば、メモリ５９２に）記憶する。たとえば、ＵＥ５５０は、メッセージが対象としたＵＥの識別子と、対応するメッセージの繰り返しが判断され得るようにメッセージコンテンツの一部または全部と、メッセージが受信された時間を示すタイムスタンプ（または、いくつかの例では、ＤＲＸサイクルインデックス）を記憶し得る。ステップ８１０において、ＵＥ５５０は、スキャンウィンドウが満了したかどうかを判断する。ここで、スキャンウィンドウは、任意の好適な持続時間持続し、ＵＥ５５０が、所望の繰り返し統計値を判断するのに十分なデータをメモリ５９２に収集することを可能にするのに十分な数のＤＲＸサイクルを含むように適合され得る。すなわち、ステップ８０４とステップ８０８との間のループは、ページメッセージ繰り返しデータを含むデータベースが収集されるまで、好適な回数繰り返し得、これは、図１０に関して以下で説明するように分析され得る。
【００７２】
本開示の別の態様はアクティブスキャンモードを与え、アクティブスキャンモードは、２つ以上のＲＡＮおよび／またはマルチＳＩＭデバイスと通信する能力を含む多重スタンバイデバイスのために有用であり得る。図９は、本開示のいくつかの態様による、アクティブスキャンモードに対応するＵＥ５５０のための例示的なプロセスを示すフローチャートである。図示したプロセス９００では、ステップ９０２において、ＵＥ５５０は、「ブランキングウィンドウ」を開始する。ここで、ブランキングウィンドウは、ＵＥ５５０が、それが登録されたネットワークのうちの１つからの１つまたは複数のページングメッセージを受信し得るが、それらに応答しない指定された有限時間である。ブランキングウィンドウの持続時間中に、以下でさらに詳細を説明するように、ＵＥ５５０は、それ自体の無線機デバイスのうちの一方を使用して他方に到達しようと試み得る。実際には、ＵＥ５５０は、呼試行の発信者と受信者の両方になり得る。
【００７３】
たとえば、ステップ９０４において、ＵＥ５５０は、第１のサブスクリプションに対応する、すなわち、マルチスタンバイデバイスの第１のＵＳＩＭ識別情報に対応するＲＡＴを介してメッセージを送信する。このメッセージは、マルチスタンバイデバイスの第２のＵＳＩＭ識別情報に対応する、第２のサブスクリプションを介して同じＵＥ５５０への呼を開始するためのネットワークについての情報を含む発呼メッセージであり得る。次に、ステップ９０６において、ＵＥ５５０は、それの第２のサブスクリプションに対応するＲＡＴを利用するそれの通常のページングチャネルをモニタして、ステップ９０４において開始された呼に対応するページングメッセージをシークする。
【００７４】
ステップ９０８において、ＵＥ５５０は、ページメッセージが受信されたかどうかを判断し、受信されなかった場合、プロセスはステップ９０６に戻り、ページングメッセージを待ち続け、受信された場合、プロセスはステップ９１０に進み、ＵＥ５５０は、関連するタイムスタンプとともに、そのページメッセージに対応する情報をメモリ５９２に記憶する。
【００７５】
ここで、ページメッセージが同じＵＥ５５０から発信されたことを示すページメッセージの発生はデータセットにロギングされるが、本開示の一態様では、他のページメッセージは無視され得る。すなわち、アクティブスキャンモードで使用されるブランキングウィンドウ中に、ＵＥ５５０が他のデバイスから発信された着信ページメッセージを逃し得るという可能性がある。さらに、ブランキングウィンドウ中に、ＵＥ５５０は、それが通常は応答するであろうページングメッセージに応答せず、むしろ、上記で説明したように、受信したページに関連する情報をそれのメモリ５９２に記憶するにすぎないように構成される。
【００７６】
ステップ９１２において、ＵＥ５５０は、ブランキングウィンドウが満了したかどうかを判断し、満了していない場合、プロセスは、ステップ９０６に戻り、ＵＥ５５０は、ステップ９０４において発信された呼に対応する繰り返されるページ試みのモニタを続ける。
【００７７】
すなわち、被呼者は、着信ページメッセージに応答しないように構成されるので、ネットワークは、目的とする受信者デバイスが到達不可能であると判断する前に、数回ページング試みを繰り返し得る。これらの試みの各々中に、ネットワークが、各ページング試み中に、上記で説明したようにページメッセージを繰り返すように実際に構成されていた場合、繰り返し統計値がＵＥ５５０によって収集され得る。
【００７８】
図１０に関連して以下で説明するように、ブランキングウィンドウの最後に、ＵＥ５５０は、両方の無線デバイス上で通常の動作を再開し、次いで、繰り返し統計値を判断するためにデータセットをマイニングし得る。
【００７９】
図８に関して上記で説明したパッシブスキャンモードおよび図９に関して上記で説明したアクティブスキャンモードでは、ＵＥ５５０は、着信ページメッセージの繰り返しに関係する情報を収集し、この情報をそれのメモリ５９２に記憶する。これらの両方の説明したプロセスでは、「Ａ」とラベルされたブロックで終了するプロセスを図に示した。これらの図の各々では、この「Ａ」ブロックは、図１０で「Ａ」とラベルされた別のブロックに対応する。ここで、図１０のフローチャートは、着信ページメッセージの繰り返しに関する統計値を判断するために、ならびに、いくつかの例では、Ｎrおよび各Ｔiの値を抽出するために、このデータセットを分析するための例示的なプロセスを示す。すなわち、ステップ１００２において、ＵＥ５５０は、受信したページメッセージに対応する収集された情報を分析して、ネットワークがチャネルをリッスンしている特定のデバイスに到達しようとする繰り返される試みを利用しているかどうかを判断する。
【００８０】
ここで、ＵＥ５５０は、受信されたメッセージが、実際に繰り返しであるのか、または場合によっては同じデバイスのための異なる着信ページであるのか、各繰り返し間の時間量などを判断するために、各ページメッセージのための同じユーザ識別情報（すなわち、各ページメッセージが対象としたデバイス）の繰り返し数、記憶される場合は、ページメッセージのコンテンツなど、このデータの値を調べ得る。
【００８１】
ステップ１００４において、ＵＥ５５０は、相応に、判断された繰り返し統計値に基づいてＮrおよびＴiの値を抽出する。すなわち、繰り返し数および各繰り返し間の時間は、記憶されたページ情報を分析するための好適なプログラムを利用して判断され得る。いくつかの例では、ＮrおよびＴiの抽出された値は、抽出された値が正確であることをプログラムがどのくらい確信しているかを示す、関連する確信値をさらに含み得る。ＮrおよびＴiの同じ値を利用する繰り返しの繰り返される事例は、これらの値がネットワークによって将来使用されることになるという確信を相応に増加させることができる。プログラムが、これらの値に十分な確信をもたらした場合、ステップ１００６において、ＵＥ５５０は、直ちにこれらの値を利用し始めて、それがチャネルをモニタする頻度を低減する。すなわち、ページングチャネルは、ＮrおよびＴiの抽出された値にしたがってすべてのＤＲＸサイクルよりも少数のＤＲＸサイクル中にモニタされ得る。
【００８２】
４つの連続するＤＲＸサイクル中にページメッセージが常に繰り返されることが知られている図７に示す例などの単純な例では、ＵＥ５５０は、４つごとのＤＲＸサイクル中にのみページングチャネルをモニタするように構成され得る。このようにして、繰り返されるページメッセージのうちの１つが受信されることになる。  
さらに詳細には、１つの例示的な非限定的な例では、ＵＥ５５０は、４７０ミリ秒のＤＲＸサイクルΔＴを定義するネットワークに登録され得る。これは、０．４７秒ごとに、ＵＥ５５０が、それのスリープ状態から復帰し、それのページングチャネルをモニタし、次いで、スリープに戻ることを意味する。
【００８３】
上記で説明したようにアクティブスキャンモードまたはパッシブスキャンモードのいずれかを使用した後、ＵＥ５５０は、次いで、ネットワークが、各試み間が９４０ミリ秒である一定の時間間隔で最低３回ページングメッセージを繰り返している（Ｎr＝３、Ｔ1＝９４０ｍｓ、およびＴ2＝９４０ｍｓ）と判断し得る。ＵＥ５５０がこれらの繰り返しのうちの１つを受信することができることを保証するために、ＵＥ５５０は、３つごとのＤＲＸサイクルに、すなわち、１．８８秒ごとにそれのスリープ状態から復帰するだけでよい。これは、ＵＥのアウェイク時間の７５％の低減、したがって、電力消費の対応する低減を表す。
【００８４】
ＵＭＴＳ  Ｗ−ＣＤＭＡシステムに関して電気通信システムのいくつかの態様を提示した。当業者なら容易に諒解するように、本開示全体にわたって説明した様々な態様は、他の電気通信システム、ネットワークアーキテクチャおよび通信規格に拡張され得る。
【００８５】
例として、様々な態様は、ＴＤ−ＳＣＤＭＡおよびＴＤ−ＣＤＭＡなどの他のＵＭＴＳシステムに拡張され得る。様々な態様はまた、（ＦＤＤ、ＴＤＤ、または両モードでの）Ｌｏｎｇ  Ｔｅｒｍ  Ｅｖｏｌｕｔｉｏｎ（ＬＴＥ）、（ＦＤＤ、ＴＤＤ、または両モードでの）ＬＴＥ−Ａｄｖａｎｃｅｄ（ＬＴＥ−Ａ）、ＣＤＭＡ２０００、Ｅｖｏｌｕｔｉｏｎ−Ｄａｔａ  Ｏｐｔｉｍｉｚｅｄ（ＥＶ−ＤＯ）、Ｕｌｔｒａ  Ｍｏｂｉｌｅ  Ｂｒｏａｄｂａｎｄ（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｕｌｔｒａ  Ｗｉｄｅｂａｎｄ（ＵＷＢ）、Ｂｌｕｅｔｏｏｔｈ（登録商標）、および／または他の好適なシステムを用いるシステムに拡張され得る。用いられる実際の電気通信規格、ネットワークアーキテクチャ、および／または通信規格は、特定の適用例およびシステムに課せられる全体的な設計制約に依存することになる。
【００８６】
開示した方法中のステップの特定の順序または階層は、例示的なプロセスの一例であることを理解されたい。設計上の選好に基づいて、本方法中のステップの特定の順序または階層は並べ替えられ得ることを理解されたい。添付の方法クレームは、様々なステップの要素を例示的な順序で提示したものであり、本明細書中で特に記載されない限り、提示された特定の順序または階層に限定されるものではない。
【００８７】
以上の説明は、当業者が本明細書で説明した様々な態様を実行できるようにするために提供したものである。これらの態様に対する様々な変更は当業者には容易に明らかであり、本明細書で定義した一般的原理は他の態様に適用され得る。したがって、特許請求の範囲は、本明細書で示した態様に限定されるものではなく、特許請求の範囲の言い回しに矛盾しない全範囲を与えられるべきであり、単数形の要素への言及は、そのように明記されていない限り、「唯一無二の」を意味するものではなく、「１つまたは複数の」を意味するものである。別段に明記されていない限り、「いくつかの」という用語は「１つまたは複数の」を指す。項目のリスト「のうちの少なくとも１つ」を指す句は、個々のメンバーを含む、それらの項目の任意の組合せを指す。一例として、「ａ、ｂ、またはｃのうちの少なくとも１つ」は、ａ、ｂ、ｃ、ａおよびｂ、ａおよびｃ、ｂおよびｃ、ならびにａ、ｂおよびｃをカバーするものとする。当業者に知られている、または後に知られることになる、本開示全体にわたって説明した様々な態様の要素のすべての構造的および機能的均等物は、参照により本明細書に明白に組み込まれ、特許請求の範囲に包含されるものである。さらに、本明細書に開示するいかなることも、そのような開示が特許請求の範囲に明示的に具陳されているかどうかにかかわらず、公に供するものではない。いかなるクレーム要素も、その要素が「手段」という語句を使用して明確に具陳されていない限り、または方法クレームの場合には、その要素が「ステップ」という語句を使用して具陳されていない限り、米国特許法第１１２条第６項の規定の下で解釈されるべきではない。
以下に、本願出願の当初の特許請求の範囲に記載された発明を付記する。
［Ｃ１］
２つの異なるサブスクリプションを介して通信することが可能なユーザ機器において動作可能なワイヤレス通信の方法であって、
第１のサブスクリプションを利用する発呼メッセージを送信することと、ここで、前記発呼メッセージは、第２のサブスクリプションを介して前記ユーザ機器に発呼するように構成される、
前記第２のサブスクリプションを介して、前記発呼メッセージに対応する少なくとも１つのページングメッセージを受信することと、
前記少なくとも１つのページングメッセージに関連する情報を記憶することと、
前記少なくとも１つのページングメッセージの繰り返しに対応する統計値を判断することと
を備える、方法。
［Ｃ２］
前記判断された統計値に従ってすべてのページングサイクルよりも少数のページングサイクルを利用するページングチャネルをモニタすることをさらに備える、
［Ｃ１］に記載の方法。
［Ｃ３］
前記少なくとも１つのページングメッセージの前記受信は、間欠受信（ＤＲＸ）サイクルに従ってページングチャネルをモニタすることを備える、
［Ｃ１］に記載の方法。
［Ｃ４］
前記少なくとも１つのページングメッセージに関連する前記情報を前記記憶することは、ページメッセージ識別子と、前記少なくとも１つのページングメッセージを受信した時間に対応するタイムスタンプとを記憶することを備える、
［Ｃ１］に記載の方法。
［Ｃ５］
前記少なくとも１つのページングメッセージの前記繰り返しに対応する前記統計値は、前記少なくとも１つのページングメッセージが繰り返された最小回数と、前記少なくとも１つのページングメッセージの繰り返し間の１回または複数回の回数とを備える、
［Ｃ１］に記載の方法。
［Ｃ６］
前記ユーザ機器は、着信ページングメッセージを受信するが、それらに応答しないように構成されたブランキングウィンドウを開始することをさらに備え、
前記第２サブスクリプションを介した前記少なくとも１つのページングメッセージの前記受信は、前記ブランキングウィンドウ中に行われる、
［Ｃ１］に記載の方法。
［Ｃ７］
ワイヤレス通信のために構成された通信インターフェースと、
前記通信インターフェースに動作可能に結合され、２つの異なるサブスクリプションを介した通信を管理するように構成されたプロセッサモジュールと
を備え、前記プロセッサは、
第１のサブスクリプションを利用する発呼メッセージを送信することと、ここで、前記発呼メッセージは、第２のサブスクリプションを介して前記ユーザ機器に発呼するように構成される、
前記第２のサブスクリプションを介して、前記発呼メッセージに対応する少なくとも１つのページングメッセージを受信することと、
前記少なくとも１つのページングメッセージに関連する情報を記憶することと、
前記少なくとも１つのページングメッセージの繰り返しに対応する統計値を判断することと
を行うようにさらに構成される、ワイヤレス通信デバイス。
［Ｃ８］
前記プロセッサは、前記判断された統計値に従ってすべてのページングサイクルよりも少数のページングサイクルを利用するページングチャネルをモニタするようにさらに構成される、
［Ｃ７］に記載のデバイス。
［Ｃ９］
前記少なくとも１つのページングメッセージの前記受信は、間欠受信（ＤＲＸ）サイクルに従ってページングチャネルをモニタすることを備える、
［Ｃ７］に記載のデバイス。
［Ｃ１０］
前記少なくとも１つのページングメッセージに関連する前記情報を前記記憶することは、ページメッセージ識別子と、前記少なくとも１つのページングメッセージを受信した時間に対応するタイムスタンプとを記憶することを備える、
［Ｃ７］に記載のデバイス。
［Ｃ１１］
前記少なくとも１つのページングメッセージの前記繰り返しに対応する前記統計値は、前記少なくとも１つのページングメッセージが繰り返された最小回数と、前記少なくとも１つのページングメッセージの繰り返し間の１回または複数回の回数とを備える、
［Ｃ７］に記載のデバイス。
［Ｃ１２］
前記プロセッサは、
前記ユーザ機器が着信ページングメッセージを受信するが、それらに応答しないように構成されたブランキングウィンドウを開始することと、
前記ブランキングウィンドウ中に前記第２サブスクリプションを介して前記少なくとも１つのページングメッセージを受信することと
を行うようにさらに構成される、［Ｃ７］に記載のデバイス。
［Ｃ１３］
ストレージデバイスに記憶された命令のセットを備える、
２つの異なるサブスクリプションを介して通信することが可能なユーザ機器と一緒に使用するように構成される、マニュファクチュアの物品であって、
前記命令のセットが実行されたとき、プロセッサに、
第１のサブスクリプションを利用する発呼メッセージを送信することと、ここで、前記発呼メッセージは、第２のサブスクリプションを介して前記ユーザ機器に発呼するように構成される、
前記第２のサブスクリプションを介して、前記発呼メッセージに対応する少なくとも１つのページングメッセージを受信することと、
前記少なくとも１つのページングメッセージに関連する情報を記憶することと、
前記少なくとも１つのページングメッセージの繰り返しに対応する統計値を判断することと
を行わせる、物品。
［Ｃ１４］
前記命令のセットが実行されたとき、前記プロセッサに、前記判断された統計値に従ってすべてのページングサイクルよりも少数のページングサイクルを利用するページングチャネルをモニタすることを行わせるコードをさらに備える、
［Ｃ１３］に記載の物品。
［Ｃ１５］
前記命令のセットが実行されたとき、前記プロセッサに、間欠受信（ＤＲＸ）サイクルに従ってページングチャネルをモニタする形で、前記少なくとも１つのページングメッセージを受信することを行わせるコードをさらに備える、
［Ｃ１３］に記載の物品。
［Ｃ１６］
前記命令のセットが実行されたとき、前記プロセッサに、ページメッセージ識別子と、前記少なくとも１つのページングメッセージを受信した時間に対応するタイムスタンプとを記憶する形で、前記少なくとも１つのページングメッセージに関連する前記情報を記憶することを行わせるコードをさらに備える、
［Ｃ１３］に記載の物品。
［Ｃ１７］
前記少なくとも１つのページングメッセージの前記繰り返しに対応する前記統計値が、前記少なくとも１つのページングメッセージが繰り返された最小回数と、前記少なくとも１つのページングメッセージの繰り返し間の１回または複数回の回数とを備える、
［Ｃ１３］に記載の物品。
［Ｃ１８］
前記命令のセットが実行されたとき、前記プロセッサに、
前記ユーザ機器が着信ページングメッセージを受信するが、それらに応答しないように構成されたブランキングウィンドウを開始することと、
前記ブランキングウィンドウ中に前記第２サブスクリプションを介して前記少なくとも１つのページングメッセージを受信することと
を行わせる命令をさらに備える、［Ｃ１３］に記載の物品。
【図１】
0005596242.tif 000002
【図２】
0005596242.tif 000003
【図３】
0005596242.tif 000004
【図４】
0005596242.tif 000005
【図５】
0005596242.tif 000006
【図６】
0005596242.tif 000007
【図７】
0005596242.tif 000008
【図８】
0005596242.tif 000009
【図９】
0005596242.tif 000010
【図１０】
0005596242.tif 000011